(57)【要約】【課題】番組の内容を話題とするメンバ間のコミュニケーションを従来よりも円滑化させることが可能なサーバを実現する。【解決手段】ＳＮＳサーバ（１００）は、各メンバのテレビ受信機（２００）から視聴中の番組に関する評価情報を取得する評価情報処理部（１３０）と送信者からのメッセージを送信相手のテレビ受信機（２００）に表示させるメッセージ処理部（１４０）とを備えている。このメッセージは、ＳＮＳサーバ（１００）が予め保持しているメッセージであり、送信者の評価情報と送信相手の評価情報との組み合わせに応じたメッセージである。【選択図】図３
2014239347.tif 000002
【特許請求の範囲】
【請求項１】
サービスを提供するサーバにおいて、
上記サービスを利用する各メンバの端末から、該メンバが視聴中の番組に対する該メンバの評価に関する評価情報を取得する取得手段と、
任意のメンバの端末から、該任意のメンバから他のメンバへのメッセージであって該他のメンバの端末を送信先とするメッセージの送信要求を受け付ける受付手段と、
上記受付手段が上記送信要求を受け付けた場合に、上記他のメンバの端末に上記メッセージを送信することにより、該他のメンバの端末に上記メッセージを表示させる第１表示制御手段と、を備え、
上記メッセージは、上記サーバが予め保持しているメッセージであって、該任意のメンバが視聴中の番組に関する評価情報と該他のメンバが視聴中の番組に関する評価情報との組み合わせに応じたメッセージである、ことを特徴とするサーバ。
【請求項２】
上記任意のメンバの端末に、該任意のメンバが上記メッセージとして選択可能な１つ以上のメッセージを表示させる第２表示制御手段を更に備え、
第１表示制御手段は、上記１つ以上のメッセージの中から該任意のメンバが選択したメッセージを上記他のメンバの端末に表示させる、ことを特徴とする請求項１に記載のサーバ。
【請求項３】
上記組み合わせが特定の組み合わせである場合において、第１表示制御手段は、上記受付手段が上記送信要求を受け付けると、上記任意のメンバの端末と上記他のメンバの端末との両方にチャット画面を表示させるように構成されており、
第１表示制御手段が上記他のメンバの端末に表示させる上記チャット画面内には上記メッセージが含まれている、ことを特徴とする請求項１または２に記載のサーバ。
【請求項４】
上記他のメンバが視聴中の番組に関する評価情報が、該他のメンバが該番組に対する評価を行っていない旨を示す場合において、第１表示制御手段が該他のメンバのテレビ受信機に上記組み合わせに応じたメッセージを表示させるのと同時期に、該他のメンバから該番組に対する評価を受け付けるための画面を該他のメンバのテレビ受信機に表示させる第３表示制御手段を更に備えている、ことを特徴とする請求項１から３のいずれか１項に記載のサーバ。
【請求項５】
上記各メンバの上記端末がテレビ受信機である、ことを特徴とする請求項１から４のいずれか１項に記載のサーバ。
【請求項６】
上記組み合わせが特定の組み合わせである場合において、第１表示制御手段が上記他のメンバの上記テレビ受信機に該組み合わせに応じたメッセージを表示させるのと同時期に、上記任意のメンバのテレビ受信機において再生されている番組が該他のメンバのテレビ受信機において録画されるように該テレビ受信機の番組録画動作を制御する録画制御手段を更に備えている、ことを特徴とする請求項５に記載のサーバ。
【請求項７】
上記組み合わせが特定の組み合わせである場合において、第１表示制御手段が上記他のメンバの上記テレビ受信機に該組み合わせに応じたメッセージを表示させるのと同時期に、上記任意のメンバのテレビ受信機において再生されている番組が該他のメンバのテレビ受信機においても再生されるように該テレビ受信機における番組再生動作を制御する再生制御手段を更に備えている、ことを特徴とする請求項５または６に記載のサーバ。
【請求項８】
サービスを提供するサーバによるメッセージ通知方法であって、
上記サービスを利用する各メンバの端末から、該メンバが視聴中の番組に対する該メンバの評価に関する評価情報を取得する取得工程と、
任意のメンバの端末から、該任意のメンバから他のメンバへのメッセージであって該他のメンバの端末を送信先とするメッセージの送信要求を受け付ける受付工程と、
上記受付工程にて上記送信要求を受け付けた場合に、上記他のメンバの端末に上記メッセージを送信することにより、該他のメンバの端末に上記メッセージを表示させる第１表示制御工程と、を含み、
上記メッセージは、上記サーバが予め保持しているメッセージであって、該任意のメンバが視聴中の番組に関する評価情報と該他のメンバが視聴中の番組に関する評価情報との組み合わせに応じたメッセージである、ことを特徴とするメッセージ通知方法。
【請求項９】
請求項１から７のいずれか１項に記載のサーバとしてコンピュータを機能させるためのプログラムであって、コンピュータを上記各手段として機能させるためのプログラム。
【請求項１０】
請求項９に記載のプログラムを記録したコンピュータ読み取り可能な記録媒体。
【発明の詳細な説明】
【技術分野】
【０００１】
本発明は、ユーザ同士が自身のクライアント端末を用いてメッセージを交換することを可能にするサーバに関する。
【背景技術】
【０００２】
近年、ＳＮＳを通じて友人とコミュニケーションを取る人が増えている。これに伴ってＳＮＳのサイトも増加し、ＳＮＳに関する様々な技術も提案されている。
【０００３】
このような技術のひとつとして、特許文献１に開示されている技術が挙げられる。
【０００４】
特許文献１に開示されている技術は、ＴＶ番組の視聴情報を収集して予め設定されたグループに属するユーザ間で共有し、同一番組を視聴する他ユーザを検索可能とし、視聴番組を共有するユーザ間でインスタントメッセンジャーを通じて感想の交換ができる技術である。
【先行技術文献】
【特許文献】
【０００５】
【特許文献１】特開２００９−１５２７４５号公報（２００９年７月９日公開）
【発明の概要】
【発明が解決しようとする課題】
【０００６】
ところで、ユーザの中には、同一番組を視聴中の他のユーザと番組の感想を交換しようと考えたものの、どのように会話を切り出してコミュニケーションを開始すればよいか悩んでしまう者もいると考えられる。例えば、インスタントメッセンジャーを通じたコミュニケーションに慣れていない者（例えば、高齢者）が特許文献１のシステムを利用しても、なかなか他のユーザと番組の感想を交換できないと考えられる。
【０００７】
本発明は上記課題に鑑みて成されたものであり、その主な目的は、番組の内容を話題とするメンバ間のコミュニケーションを従来よりも円滑化させることが可能なサーバを実現することにある。
【課題を解決するための手段】
【０００８】
上記の課題を解決するために、本発明の一態様に係るサーバは、サービスを提供するサーバであって、上記サービスを利用する各メンバの端末から、該メンバが視聴中の番組に対する該メンバの評価に関する評価情報を取得する取得手段と、任意のメンバの端末から、該任意のメンバから他のメンバへのメッセージであって該他のメンバの端末を送信先とするメッセージの送信要求を受け付ける受付手段と、上記受付手段が上記送信要求を受け付けた場合に、上記他のメンバの端末に上記メッセージを送信することにより、該他のメンバの端末に上記メッセージを表示させる第１表示制御手段と、を備え、上記メッセージは、上記サーバが予め保持しているメッセージであって、該任意のメンバが視聴中の番組に関する評価情報と該他のメンバが視聴中の番組に関する評価情報との組み合わせに応じたメッセージである、ことを特徴としている。
【０００９】
また、上記の課題を解決するために、本発明の一態様に係るメッセージ通知方法は、サービスを提供するサーバによるメッセージ通知方法であって、上記サービスを利用する各メンバの端末から、該メンバが視聴中の番組に対する該メンバの評価に関する評価情報を取得する取得工程と、任意のメンバの端末から、該任意のメンバから他のメンバへのメッセージであって該他のメンバの端末を送信先とするメッセージの送信要求を受け付ける受付工程と、上記受付工程にて上記送信要求を受け付けた場合に、上記他のメンバの端末に上記メッセージを送信することにより、該他のメンバの端末に上記メッセージを表示させる第１表示制御工程と、を含み、上記メッセージは、上記サーバが予め保持しているメッセージであって、該任意のメンバが視聴中の番組に関する評価情報と該他のメンバが視聴中の番組に関する評価情報との組み合わせに応じたメッセージである、ことを特徴としている。
【発明の効果】
【００１０】
本発明の一態様によれば、サーバは、番組の内容を話題とするメンバ間のコミュニケーションを従来よりも円滑化させることができるという効果を奏する。
【図面の簡単な説明】
【００１１】
【図１】本発明の一実施形態に係るＳＮＳサーバと、ＳＮＳサーバにアクセスしてＳＮＳの画面を表示可能なテレビ受信機と、を含むシステムの構成図である。
【図２】図１のテレビ受信機に表示される画面を例示した図である。
【図３】図１のＳＮＳサーバの要部構成を示すブロック図である。
【図４】図１のＳＮＳサーバが保持している様々な定型メッセージを例示した図である。
【図５】図１のテレビ受信機に表示される画面を例示した別の図である。
【図６】図１のテレビ受信機に表示される画面を例示したさらに別の図である。
【図７】図１のテレビ受信機に表示される画面を例示したさらに別の図である。
【図８】図１のテレビ受信機に表示される画面を例示したさらに別の図である。
【図９】図１のテレビ受信機に表示される画面を例示したさらに別の図である。
【図１０】図１のテレビ受信機に表示される画面を例示したさらに別の図である。
【図１１】図１のテレビ受信機とは別の実施形態に係るテレビ受信機に表示される画面を例示したさらに別の図である。
【図１２】図１のテレビ受信機とは別の実施形態に係るテレビ受信機に表示される画面を例示したさらに別の図である。
【図１３】図１のテレビ受信機とは別の実施形態に係るテレビ受信機に表示される画面を例示したさらに別の図である。
【図１４】（ａ）は、図１のテレビ受信機とは別の実施形態に係るテレビ受信機（メッセージの送信者が利用するテレビ受信機）に表示される画面を例示したさらに別の図である。（ｂ）は、メッセージの受信者が利用する携帯電話に表示される画面を例示した図である。
【発明を実施するための形態】
【００１２】
〔実施形態１〕
以下、本発明の実施の形態について、詳細に説明する。
【００１３】
本発明の一実施形態に係るＳＮＳサーバは、メンバ同士が視聴中の番組に関する感想を交換することが可能なソーシャルネットワーキングサービス（ＳＮＳ）を提供するサーバである。
【００１４】
本実施形態では、このＳＮＳを利用する各メンバは、このＳＮＳに対応したテレビ受信機を用いて、テレビ番組を視聴したり、視聴中のテレビ番組に対する評価を行ったりできるようになっている。
【００１５】
以下では、本実施形態に係るＳＮＳサーバと上述のテレビ受信機とを含むＳＮＳシステムの全体構成について図１を参照しながら説明する。図１は、上述のＳＮＳサーバと、ＳＮＳサーバにアクセスしてＳＮＳの画面を表示可能な上述のテレビ受信機と、を含むＳＮＳシステムの構成図である。
【００１６】
図１に示すように、本実施形態に係るＳＮＳシステムは、ＳＮＳサーバ１００、複数台のテレビ受信機、ＣＨ（チャンネル）センスサーバ３００、番組情報ＤＢサーバ４００、および、メール送信サーバ５００を含んでいる。なお、図１においては、複数台のテレビ受信機のうちテレビ受信機２００−Ａ〜２００−Ｃの３台のみを図示している。
【００１７】
以下では、各装置の概要について説明する。
（テレビ受信機）
テレビ受信機は、ユーザが上述のＳＮＳの会員登録画面（図示せず）を表示できるようになっており、ユーザは、この会員登録画面を通じて、会員登録情報の一部として、自身のメールアドレスを登録するようになっている。また、会員登録が完了すると、上述のＳＮＳサーバから付与されたユニークなユーザ情報（ユーザＩＤ）がテレビ受信機に保存されるようになっている。
【００１８】
会員登録後のテレビ受信機（以下、単に「テレビ受信機」と称する）は、チャンネルが切り替えられる度に、ユーザ情報、および、切り替え後のチャンネルを示す視聴チャンネル情報をＣＨセンスサーバ３００に送信する。
【００１９】
また、テレビ受信機は、図２の画面を通じて視聴中のテレビ番組に対するユーザの評価（「高評価」および「低評価」のいずれか）を受け付けるようになっており、評価を受け付けると、ユーザ情報、および、「高評価」および「低評価」のいずれかを示す番組評価情報をＳＮＳサーバに送信する。
【００２０】
一方、テレビ受信機は、そのユーザ（メンバ）と同一グループに属する他の各メンバのステータス情報をＳＮＳのホーム画面内に表示する。具体的には、テレビ受信機は、他の各メンバのステータス情報の一部として、該メンバが視聴中の放送局、および、該メンバの番組評価情報（「高評価」「低評価」「評価なし」のいずれか）をホーム画面内に表示する。
【００２１】
さらに、テレビ受信機は、チャット機能、および、ホーム画面において指定したメンバに対してメッセージを送るためのメッセージ機能を備えている。
（ＳＮＳサーバ１００）
ＳＮＳサーバ１００は、ＳＮＳを利用する各メンバについて、該メンバのテレビ受信機に表示させるＳＮＳのホーム画面のデータ（例えば、ＨＴＭＬデータ）を生成し、生成したデータを該テレビ受信機に送信する。
【００２２】
具体的には、「視聴中の番組に対して高い評価を行っている」「視聴中の番組に対して低い評価を行っている」「視聴中の番組に対する評価を行っていない」のいずれかを示すエモティコンと最新の視聴チャンネル情報に対応する放送局名とが対応するメンバの名称の近傍に位置するような態様のホーム画面のデータを生成する。
【００２３】
また、メンバがＳＮＳのホーム画面上で他のメンバにメッセージを送るための操作を行うと、ＳＮＳサーバ１００は、その操作を行ったメンバ（以下、「送信者」とも称する）の視聴中の番組に対する評価と該他のメンバの視聴中の番組に対する評価とに応じた画面（以下、「メッセージ送信決定画面」とも称する）のデータ（例えば、ＨＴＭＬデータ）を生成し、生成したデータを送信者のテレビ受信機に送信する。ＳＮＳサーバ１００は、メッセージ送信決定画面を通じて送信者により送信することが決定されたメッセージを、該他のメンバのテレビ受信機に送信する。
（ＣＨセンスサーバ３００）
ＣＨセンスサーバ３００は、各テレビ受信機について、該テレビ受信機から受信したユーザ情報と該テレビ受信機から受信した最新の視聴チャンネル情報とを関連付けて自装置内に保存する。ＣＨセンスサーバ３００は、ＳＮＳサーバ１００から指定されたユーザの最新の視聴チャンネル情報をＳＮＳサーバ１００に送信する。
（番組情報ＤＢサーバ４００）
番組情報ＤＢサーバ４００は、各放送局（チャンネル）に関し、現在放送中の番組、および、これから放送される番組に関する情報（番組情報）を管理するサーバである。
（メール送信サーバ５００）
メール送信サーバ５００は、ＳＮＳサーバ１００からのリクエストに基づいて、ＳＮＳサーバ１００が生成したメールを宛先アドレスに送信するＳＭＴＰサーバである。すなわち、メールは、該宛先アドレスのユーザ（ＳＮＳのメンバ）が所有する端末（スマートフォン２１０、ＰＣ２２０、タブレット端末２３０等）により受信されることになる。
【００２４】
以上、ＳＮＳシステムの全体構成について説明した。
【００２５】
次に、ＳＮＳサーバ１００の要部構成について図３を参照しながら説明する。図３は、ＳＮＳサーバ１００の要部構成を示すブロック図である。
（ＳＮＳサーバ１００の要部構成）
図３に示すように、ＳＮＳサーバ１００は、ＳＮＳ画面生成部１１０、視聴情報処理部１２０、評価情報処理部１３０、メッセージ処理部１４０、および、記憶部１５０を備えている。
【００２６】
ＳＮＳ画面生成部１１０は、必要に応じて視聴情報処理部１２０および評価情報処理部１３０から供給された各種情報を用いて、ＳＮＳの各種画面（前述のホーム画面やメッセージ送信決定画面等）のデータを生成する。
【００２７】
視聴情報処理部１２０は、定期的（例えば、３０秒毎）に、ＣＨセンスサーバ３００に対して各メンバの最新の視聴チャンネル情報を送信するように要求する。そして、視聴情報処理部１２０は、受信した各メンバの最新のテレビチャンネル情報を、該メンバのユーザ情報と関連付けて記憶部１５０に保存する。
【００２８】
また、視聴情報処理部１２０は、ＳＮＳ画面生成部１１０がホーム画面のデータの送信要求をテレビ受信機２００から受信すると、ＣＨセンスサーバ３００に対し、そのテレビ受信機２００を使用するメンバと同一グループの各メンバの最新の視聴チャンネル情報を記憶部１５０から読み出してＳＮＳ画面生成部１１０に供給する。
【００２９】
評価情報処理部１３０は、テレビ受信機２００から番組評価情報を受信すると、そのテレビ受信機２００を使用するメンバのユーザ情報と関連付けて記憶部１５０に保存されている番組評価情報（デフォルト値：「評価なし」）を、受信した番組評価情報に更新する。評価情報処理部１３０は、メンバが視聴中の番組の終了時刻になると、該メンバのユーザ情報と関連付けられている番組評価情報を「評価なし」に更新する。なお、評価情報処理部１３０は、各番組の終了時刻を、番組情報ＤＢサーバ４００が管理する番組情報を参照することで把握できる。
【００３０】
また、評価情報処理部１３０は、ＳＮＳ画面生成部１１０がホーム画面のデータの送信要求をテレビ受信機２００から受信すると、そのテレビ受信機２００を使用するメンバ以外の他のメンバの番組評価情報を記憶部１５０から読み出してＳＮＳ画面生成部１１０に供給する。
【００３１】
メッセージ処理部１４０は、メッセージ送信決定画面を通じて送信者が他のメンバに送信することを決定したメッセージを、該他のメンバのテレビ受信機２００に送信する。
【００３２】
記憶部１５０は、ハードディスクドライブ等の記録媒体である。記憶部１５０には、各メンバについて該メンバの番組評価情報が保持される。また、図４に示すように、記憶部１５０には、送信者の視聴中の番組に対する評価と該他のメンバの視聴中の番組に対する評価との組み合わせ毎に、該組み合わせに対応する定型メッセージが保存されている。なお、図４においては、定型メッセージの例を組み合わせ毎に１つずつ示したが、記憶部１５０には、組み合わせ毎に１つまたは複数の定型メッセージが保存されている。
【００３３】
以上、ＳＮＳサーバ１００の要部構成について説明した。
（ＳＮＳサーバ１００の動作について）
次に、送信者がテレビ受信機２００にＳＮＳのホーム画面を表示させる操作を行ってから送信者のメッセージを送付先に送付するまでのＳＮＳサーバ１００の動作について説明する。
【００３４】
送信者が所有するテレビ受信機２００からＳＮＳサーバ１００がＳＮＳのホーム画面のデータのリクエストを受け付けると、視聴情報処理部１２０が送信者と同一グループに属する他の各メンバの評価情報および最新の視聴チャンネル情報を記憶部１５０から読み出す。
【００３５】
ＳＮＳ画面生成部１１０は、各メンバの最新の視聴チャンネル情報と各メンバの評価情報とを用いてＳＮＳのホーム画面のデータを生成し、生成したデータを送信者のテレビ受信機２００に送信する。送信者のテレビ受信機２００は、送信されたデータを用いて、図５の（ａ）の左側に示したようなＳＮＳのホーム画面を表示する。
【００３６】
その後、送信者がメッセージ機能を使用するためにホーム画面上で他のメンバ（すなわち、メッセージの送信相手）を指定すると、ＳＮＳ画面生成部１１０は、送信者の視聴中の番組に対する評価に関する評価情報と送信相手が視聴中の番組に対する評価に関する評価情報との組み合わせに応じたメッセージ送信決定画面のデータを生成し、生成したデータを送信者のテレビ受信機２００に送信する。
【００３７】
以下、上記組み合わせ毎に、送信者が送信相手を指定した後のＳＮＳサーバ１００の動作を説明する。
【００３８】
まず、メッセージの送信者と送信相手とが異なる番組を視聴している場合におけるＳＮＳサーバ１００の動作を説明する。
（送信者の評価情報：「高評価」、送信相手の評価情報：「低評価」の場合）
例えば、図５の（ａ）の左側に示したように、視聴中の番組を高く評価しているＡさんが、視聴中の別の番組を低く評価しているＥさんを指定した場合、ＳＮＳ画面生成部１１０は、Ａさんが視聴中の番組をお勧めするメッセージをＥさんに送るためのメッセージ送信決定画面のデータを生成する。そして、生成したデータをＡさんのテレビ受信機２００（テレビ受信機２００−Ａ）に送信する。テレビ受信機２００−Ａのスクリーンの右半分には、図５の（ａ）の右側に示したように、メッセージ送信決定画面が表示される。
【００３９】
Ａさんが「おすすめ」ボタンを押すと、Ａさんのメッセージの送信要求がＳＮＳサーバ１００に送られる。送信要求を受けとったＳＮＳサーバ１００のメッセージ処理部１４０は、記憶部１５０に保存されている定型メッセージ（図４の“***をおススメします”というメッセージ）を用いてＡさんのメッセージを作成する。そして、メッセージ処理部１４０は、作成したＡさんのメッセージをＥさんのテレビ受信機２００（テレビ受信機２００−Ｅ）に送信する。
【００４０】
その結果、テレビ受信機２００−Ｅには、図５の（ｂ）または（ｃ）に示したようにメッセージが表示される。具体的には、テレビ受信機２００−ＥにＳＮＳの画面が表示されていない場合には、図５の（ｂ）に示したように番組映像上にメッセージが表示される。また、テレビ受信機２００−ＥにＳＮＳの画面が表示されている場合には、図５の（ｃ）に示したようにＳＮＳの画面上にメッセージが表示される。
（送信者の評価情報：「高評価」、送信相手の評価情報：「高評価」の場合）
例えば、図６の（ａ）の左側に示したように、視聴中の番組を高く評価しているＡさんが、視聴中の別の番組を高く評価しているＣさんを指定した場合、ＳＮＳ画面生成部１１０は、「Ｃさんが視聴中の番組を録画した」旨のメッセージをＣさんに送るためのメッセージ送信決定画面のデータを生成する。そして、生成したデータをＡさんのテレビ受信機２００（テレビ受信機２００−Ａ）に送信する。テレビ受信機２００−Ａのスクリーンの右半分には、図６の（ａ）の右側に示したように、メッセージ送信決定画面が表示される。
【００４１】
このメッセージ送信決定画面を見るとわかるように、Ａさんは、「録画」ボタンを押すことで、Ｃさんに視聴されている番組をテレビ受信機２００−Ａに裏番組録画させると同時に「Ｃさんが視聴中の番組を録画した」旨のメッセージをＣさんに送ることができるようになっている。すなわち、Ａさんが「録画」ボタンを押すと、メッセージ処理部１４０は、テレビ受信機２００−ＡからＡさんのメッセージの送信要求を受け取る。
【００４２】
送信要求を受け取ったメッセージ処理部１４０は、記憶部１５０に保存されている定型メッセージ（図４の“**さんが高い評価をしているので、**さんが見ている番組を録画してみましたよ”というメッセージ）を用いてＡさんのメッセージを作成する。そして、メッセージ処理部１４０は、作成したメッセージをＣさんのテレビ受信機２００（テレビ受信機２００−Ｃ）に送信する。その結果、テレビ受信機２００−Ｃには図６の（ｂ）に示したようにＡさんのメッセージが表示される。
【００４３】
なお、ＳＮＳサーバ１００は、上記のような動作を行う代わりに、送信者の評価情報が「低評価」であり、送信相手の評価情報が「高評価」である場合と同様の動作（後述）を行ってもよい。また、ＳＮＳサーバ１００は、メッセージ送信決定画面で「見る」ボタンが押された場合に、送信者のテレビ受信機２００に対して、再生する番組を送信相手が視聴中の番組に切り替えさせるだけでなく、切り替え前の番組の録画（すなわち、裏番組録画）を開始させてもよい。
（送信者の評価情報：「評価なし」、送信相手の評価情報：「高評価」の場合）
ＳＮＳサーバ１００は、送信者の評価情報と送信相手の評価情報とがともに「高評価」である場合と同様の動作を行う。
（送信者の評価情報：「低評価」、送信相手の評価情報：「高評価」の場合）
例えば、図７の（ａ）の左側に示したように、視聴中の番組を低く評価しているＡさんが、視聴中の別の番組を高く評価しているＣさんを指定した場合、ＳＮＳ画面生成部１１０は、「Ｃさんが視聴中の番組を見始めた」旨のメッセージをＣさんに送るためのメッセージ送信決定画面のデータを生成する。そして、ＳＮＳ画面生成部１１０は、生成したデータをＡさんのテレビ受信機２００−Ａに送信する。テレビ受信機２００−Ａのスクリーンの右半分には、図７の（ａ）の右側に示したように、メッセージ送信決定画面が表示される。
【００４４】
このメッセージ送信決定画面を見るとわかるように、Ａさんは、「見る」ボタンを押すことで、テレビ受信機２００−Ａにて再生する番組をＡさんが視聴していた番組からＣさんが視聴中の番組に変更すると同時に「Ｃさんが視聴中の番組を見始めた」旨のメッセージをＣさんに送ることができるようになっている。すなわち、Ａさんが「録画」ボタンを押すと、メッセージ処理部１４０が、テレビ受信機２００−Ａから、Ａさんのメッセージの送信要求を受け取る。
【００４５】
送信要求を受け取ったメッセージ処理部１４０は、記憶部１５０に保存されている定型メッセージ（図４の“見ていた番組がつまらなかったので、あなたが見ている番組を見始めました”というメッセージ）を読み出し、読み出した定型メッセージをテレビ受信機２００−Ｃに送信する。その結果、テレビ受信機２００−Ｃには図７の（ｂ）に示したようにＡさんのメッセージが表示される。
（送信者の評価情報：「低評価」、送信相手の評価情報：「低評価」の場合）
例えば、図８の（ａ）の左側に示したように、視聴中の番組を低く評価しているＡさんが、視聴中の別の番組を低く評価しているＥさんを指定した場合、ＳＮＳ画面生成部１１０は、チャット機能によりＥさんとメッセージのやりとりを行うためのチャット起動画面のデータを生成する。そして、ＳＮＳ画面生成部１１０は、生成したデータをＡさんのテレビ受信機２００−Ａに送信する。テレビ受信機２００−Ａのスクリーンの右半分には、図８の（ａ）の右側に示したように、チャット起動画面が表示される。
【００４６】
Ａさんは、チャット起動画面内に提示された定型メッセージの選択、または、メッセージの入力を行った上で「チャット開始」ボタンを押すことで、Ｅさんとのチャットを開始できるようになっている。すなわち、Ａさんが「チャット開始」ボタンを押すと、メッセージ処理部１４０が、テレビ受信機２００−Ａから、Ｅさんとのチャットの開始要求、および、Ａさんのメッセージの送信要求を受け取る。
【００４７】
これらの要求を受け取ったメッセージ処理部１４０は、Ａさんからチャットの招待があった旨を示す情報とＡさんのメッセージとをテレビ受信機２００−Ｅに送信する。その結果、テレビ受信機２００−Ｅには図８の（ｂ）の左側に示したようなシステムメッセージが表示され、その後、図８の（ｂ）の右側に示したように、Ａさんのメッセージがチャット画面内に表示される。なお、言うまでもなく、ＳＮＳ画面生成部１１０は、テレビ受信機２００−Ｅだけでなくテレビ受信機２００−Ａにもチャット画面を表示させるようになっている。
（送信者の評価情報：「評価なし」、送信相手の評価情報：「低評価」の場合）
ＳＮＳサーバ１００は、送信者の評価情報と送信相手の評価情報とがともに「低評価」である場合と同様の動作を行う。
【００４８】
以上、メッセージの送信者と送信相手とが異なる番組を視聴している場合における、送信者が送信相手を指定した後のＳＮＳサーバ１００の動作を説明した。
【００４９】
次に、メッセージの送信者と送信相手とが同じ番組を視聴している場合における、送信者が送信相手を指定した後のＳＮＳサーバ１００の動作を説明する。
（送信者の評価情報：「高評価」、送信相手の評価情報：「高評価」の場合）
例えば、図９の（ａ）の左側に示したように、視聴中の番組を高く評価しているＡさんが、視聴中の同じ番組を高く評価しているＢさんを指定した場合、ＳＮＳ画面生成部１１０は、メッセージをＢさんに送るためのメッセージ送信決定画面のデータを生成する。そして、ＳＮＳ画面生成部１１０は、生成したデータをテレビ受信機２００−Ａに送信する。テレビ受信機２００−Ａのスクリーンの右半分には、図９の（ａ）の右側に示したようにメッセージ送信決定画面が表示される。
【００５０】
Ａさんは、メッセージ送信決定画面内に提示された定型メッセージの選択、または、メッセージの入力を行った上で「送信」ボタンを押すことで、Ｂさんにメッセージを送ることができる。すなわち、Ａさんが「送信」ボタンを押すと、メッセージ処理部１４０が、テレビ受信機２００−ＡからＡさんのメッセージの送信要求を受け取る。
【００５１】
送信要求を受け取ったメッセージ処理部１４０は、Ａさんからメッセージが送られてきた旨を示す情報とＡさんのメッセージとをＢさんのテレビ受信機２００（テレビ受信機２００−Ｂ）に送信する。その結果、テレビ受信機２００−Ｂには、図９の（ｂ）の左側に示したようにシステムメッセージが表示され、その後、図９の（ｂ）の右側に示したようにＡさんのメッセージが表示される。
（送信者の評価情報：「評価なし」、送信相手の評価情報：「高評価」の場合）
メッセージを送信しようとする送信者が送信相手を指定すると、ＳＮＳ画面生成部１１０は、メッセージを送信相手に送るためのメッセージ送信決定画面のデータを生成し、生成したデータを送信者のテレビ受信機２００に送信する。
【００５２】
送信者のテレビ受信機２００には、送信相手に送信するメッセージとして１つ以上のメッセージ（例えば、図４の「**さんが高い評価をしているので、**さんが見ている番組を私も見始めました。」といったメッセージ）を選択可能なメッセージ送信決定画面が表示される。送信者は、上記１つ以上のメッセージの中から送信相手に送信するメッセージを選択するかメッセージを入力した上で、さらに、「送信」ボタンを押すことにより、送信相手にメッセージを送信できる。
（送信者の評価情報：「低評価」、送信相手の評価情報：「高評価」の場合）
メッセージを送信しようとする送信者が送信相手を指定すると、ＳＮＳ画面生成部１１０は、メッセージを送信相手に送るためのメッセージ送信決定画面のデータを生成し、生成したデータを送信者のテレビ受信機２００に送信する。
【００５３】
送信者のテレビ受信機２００には、送信相手に送信するメッセージとして１つ以上のメッセージ（例えば、図４の「この番組のどこが良いのですか？」といったメッセージ）を選択可能なメッセージ送信決定画面が表示される。送信者は、上記１つ以上のメッセージの中から送信相手に送信するメッセージを選択するかメッセージを入力した上で、さらに、「送信」ボタンを押すことにより、送信相手のテレビ受信機２００にメッセージを送信できる。
（送信者の評価情報：「高評価」、送信相手の評価情報：「低評価」の場合）
メッセージを送信しようとする送信者が送信相手を指定すると、ＳＮＳ画面生成部１１０は、メッセージを送信相手に送るためのメッセージ送信決定画面のデータを生成し、生成したデータを送信者のテレビ受信機２００に送信する。
【００５４】
送信者のテレビ受信機２００には、送信相手に送信するメッセージとして１つ以上のメッセージ（例えば、図４の「良い番組だと思うけど、なぜ評価が低いんですか？」といったメッセージ）を選択可能なメッセージ送信決定画面が表示される。送信者は、上記１つ以上のメッセージの中から送信相手に送信するメッセージを選択するかメッセージを入力した上で、さらに、「送信」ボタンを押すことにより、送信相手のテレビ受信機２００にメッセージを送信できる。
（送信者の評価情報：「評価なし」、送信相手の評価情報：「低評価」の場合）
ＳＮＳサーバ１００は、メッセージの送信者と送信相手とが異なる番組を視聴している場合と同様の動作を行う。
（送信者の評価情報：「低評価」、送信相手の評価情報：「低評価」の場合）
ＳＮＳサーバ１００は、メッセージの送信者と送信相手とが異なる番組を視聴している場合と同様の動作を行う。
（送信者の評価情報：「高評価」、送信相手の評価情報：「評価なし」の場合）
例えば、図１０の（ａ）の左側に示したように、視聴中の番組を高く評価しているＡさんが、視聴中の番組に対する評価を行っていないＦさんを指定した場合、ＳＮＳ画面生成部１１０は、視聴中の番組の評価をしてもらうためのメッセージをＦさんに送るためのメッセージ送信決定画面のデータを生成する。そして、ＳＮＳ画面生成部１１０は、生成したデータをテレビ受信機２００−Ａに送信する。テレビ受信機２００−Ａのスクリーンの右半分には、図１０の（ａ）の右側に示したようにメッセージ送信決定画面が表示される。
【００５５】
Ａさんが「送信」ボタンを押すと、メッセージ処理部１４０が、テレビ受信機２００−Ａから、Ａさんのメッセージの送信要求を受け取る。そして、送信要求を受け取ったメッセージ処理部１４０は、記憶部１５０に保存されている定型メッセージ（図４の“今見ている番組はどうですか？”というメッセージ）を読み出し、読み出した定型メッセージをＦさんのテレビ受信機２００（テレビ受信機２００−Ｆ）に送信する。その結果、テレビ受信機２００−Ｆには、図１０の（ｂ）の左側に示したように、Ａさんのメッセージが表示される。
【００５６】
この定型メッセージを送信した場合、さらに、ＳＮＳ画面生成部１１０が、評価依頼画面のデータを生成し、生成したデータを定型メッセージの送信先であるテレビ受信機２００−Ｆに送信する。その結果、テレビ受信機２００−Ｆのスクリーンの右半分には、図１０の（ｂ）の右側に示したように評価依頼画面が表示される。Ｆさんは、評価依頼画面を通じて、視聴中の番組に対する評価を行うことができる。
【００５７】
なお、ＳＮＳサーバ１００は、メッセージの送信者と送信相手とが異なる番組を視聴している場合にも送信相手の評価情報が「評価なし」であるときは、上記の動作を行う。また、本実施形態に係るＳＮＳサーバ１００は、送信相手の評価情報が「評価なし」である場合には、送信者の評価に関係なく上記の動作を行う。
【００５８】
（ＳＮＳサーバ１００の利点）
以上のように、ＳＮＳサーバ１００は、ＳＮＳ（ソーシャルネットワーキングサービス）を提供するサーバであって、ＳＮＳを利用する各メンバのテレビ受信機２００から該メンバが視聴中の番組に対する該メンバの評価に関する番組評価情報を取得する評価情報処理部１３０を備えている。
【００５９】
また、ＳＮＳサーバ１００は、任意のメンバ（送信者）のテレビ受信機２００から、該任意のメンバから他のメンバ（送信相手）へのメッセージであって該他のメンバのテレビ受信機２００を送信先とするメッセージの送信要求を受け付けるメッセージ処理部１４０を備えている。メッセージ処理部１４０は、上記送信要求を受け付けると、上記他のメンバの端末に上記メッセージを送信することにより、該他のメンバの端末に上記メッセージを表示させる。
【００６０】
さらに、上記メッセージは、ＳＮＳサーバ１００が予め保持しているメッセージであって、該任意のメンバが視聴中の番組に関する評価情報と該他のメンバが視聴中の番組に関する評価情報との組み合わせに応じたメッセージである。
【００６１】
上記の構成によれば、ＳＮＳサーバ１００は、送信者が、該送信者が視聴中の番組に関する評価情報と送信相手が視聴中の番組に関する評価情報との組み合わせに応じたメッセージを、送信者に自分で考えさせることなく送信相手に送ることを可能にする。
【００６２】
すなわち、メンバは、番組の内容を話題とするコミュニケーションを他のメンバと始めるきっかけとなる適切なメッセージを自分で考えることなく、そのようなメッセージを上記他のメンバに送ることができる。
【００６３】
したがって、ＳＮＳサーバ１００は、番組の内容を話題とするメンバ間のコミュニケーションを従来よりも円滑化させることができる。
【００６４】
（実施形態１の付記事項）
なお、本発明は、ＳＮＳサーバ１００ではなく、例えば、メッセージ交換サービスを提供するＩＭ（インタスタントメッセージング）サーバとしても実施できる。この場合、視聴中の番組に対する評価をメンバに行わせるためのユーザインタフェースを備えたＩＭクライアントとして機能するように、各メンバのテレビ受信機２００を実装すればよい。
【００６５】
〔実施形態２〕
本発明の他の実施形態について説明すれば、以下のとおりである。なお、説明の便宜上、実施形態１にて説明した部材と同じ機能を有する部材については、同じ符号を付記し、その説明を省略する。
【００６６】
本実施形態では、メッセージの送信者と送信相手とが異なる番組を視聴している場合のシステムの動作の一部が実施形態１に係るシステムと異なっている。より具体的には、送信者の評価情報が「高評価」であり、且つ、送信相手の評価情報が「低評価」である場合のシステムの動作が、実施形態１に係るシステムと異なっている。
【００６７】
すなわち、例えば、図１１の（ａ）の左側に示したように、視聴中の番組を高く評価しているＡさんが、視聴中の別の番組を低く評価しているＥさんを指定した場合、ＳＮＳ画面生成部１１０は、Ａさんが視聴中の番組をお勧めするメッセージをＥさんに送るためのメッセージ送信決定画面のデータを生成する。そして、ＳＮＳ画面生成部１１０は、生成したデータをテレビ受信機２００−Ａに送信する。テレビ受信機２００−Ａのスクリーンの右半分には、図１１の（ａ）の右側に示したように、メッセージ送信決定画面が表示される。
【００６８】
このメッセージ送信決定画面を見るとわかるように、Ａさんは、「視聴させる」ボタンを押すことで、Ａさんが視聴している番組をテレビ受信機２００−Ｅに強制的に再生させると同時に「Ａさんが視聴中の番組をお勧めする」旨のメッセージをＥさんに送ることができるようになっている。すなわち、Ａさんが「視聴させる」ボタンを押すと、メッセージ処理部１４０は、テレビ受信機２００−Ａから、Ａさんのメッセージの送信要求とチャンネル切替要求とを受け取る。
【００６９】
これらの要求を受け取ったメッセージ処理部１４０は、記憶部１５０に保存されている定型メッセージを用いてＡさんのメッセージを作成する。そして、メッセージ処理部１４０は、作成したメッセージをチャンネル切替要求とともにテレビ受信機２００−Ｅに送信する。その結果、テレビ受信機２００−Ｅには図１１の（ｂ）の左側に示したようにＡさんのメッセージが表示され、その後、テレビ受信機２００−Ｅは、図１１の（ｂ）の右側に示したように、再生する番組を、Ｅさんが視聴している放送局２の番組から、Ａさんが視聴している放送局１の番組に切り替える。
【００７０】
〔実施形態３〕
本発明のさらに別の一実施形態について説明すれば、以下のとおりである。なお、説明の便宜上、実施形態１にて説明した部材と同じ機能を有する部材については、同じ符号を付記し、その説明を省略する。
【００７１】
本実施形態では、メッセージの送信者と送信相手とが異なる番組を視聴している場合のシステムの動作の一部が実施形態１および実施形態２に係るシステムと異なっている。より具体的には、送信者および送信相手の評価情報が共に「高評価」である場合のシステムの動作が、実施形態１および実施形態２に係るシステムと異なっている。
【００７２】
すなわち、例えば、図１２の（ａ）の左側に示したように、視聴中の番組を高く評価しているＡさんが、視聴中の別の番組を高く評価しているＣさんを指定した場合、ＳＮＳ画面生成部１１０は、Ａさんが視聴中の番組をお勧めするメッセージをＣさんに送るためのメッセージ送信決定画面のデータを生成する。そして、ＳＮＳ画面生成部１１０は、生成したデータをテレビ受信機２００−Ａに送信する。テレビ受信機２００−Ａのスクリーンの右半分には、図１２の（ａ）の右側に示したように、メッセージ送信決定画面が表示される。
【００７３】
このメッセージ送信決定画面を見るとわかるように、Ａさんは、「録画させる」ボタンを押すことで、Ａさんが視聴している番組をテレビ受信機２００−Ｃに強制的に裏番組録画させると同時に「Ａさんが視聴中の番組をお勧めする」旨のメッセージをＣさんに送ることができるようになっている。すなわち、Ａさんが「視聴させる」ボタンを押すと、メッセージ処理部１４０は、テレビ受信機２００−Ａから、Ａさんのメッセージの送信要求と裏番組録画の要求とを受け取る。
【００７４】
これらの要求を受け取ったメッセージ処理部１４０は、記憶部１５０に保存されている定型メッセージを用いてＡさんのメッセージを作成する。そして、メッセージ処理部１４０は、作成したメッセージを、裏番組録画の要求とともにテレビ受信機２００−Ｃに送信する。その結果、テレビ受信機２００−Ｃには、図１２の（ｂ）の左側に示したようにＡさんのメッセージが表示される。その後、テレビ受信機２００−Ｃは、図１２の（ｂ）の右側に示したように、Ｃさんが視聴している番組を引き続き再生しながら、Ａさんが視聴している番組の録画（すなわち、裏番組録画）を開始する。
【００７５】
〔実施形態４〕
本発明のさらに別の一実施形態について説明すれば、以下のとおりである。なお、説明の便宜上、実施形態１にて説明した部材と同じ機能を有する部材については、同じ符号を付記し、その説明を省略する。
【００７６】
本実施形態では、メッセージの送信者と送信相手とが異なる番組を視聴している場合のシステムの動作の一部が実施形態１〜３に係るシステムと異なっている。より具体的には、送信者および送信相手の評価情報が共に「低評価」である場合のシステムの動作が、実施形態１〜３に係るシステムと異なっている。
【００７７】
すなわち、例えば、図１３の（ａ）の左側に示したように、視聴中の番組を低く評価しているＡさんが、視聴中の別の番組を低く評価しているＥさんを指定した場合、ＳＮＳ画面生成部１１０は、Ａさんが視聴中の番組を見てもらうメッセージをＥさんに送るために使用するメッセージ送信決定画面のデータを生成する。そして、ＳＮＳ画面生成部１１０は、生成したデータをテレビ受信機２００−Ａに送信する。テレビ受信機２００−Ａのスクリーンの右半分には、図１３の（ａ）の右側に示したように、メッセージ送信決定画面が表示される。
【００７８】
Ａさんは、「視聴させる」ボタンを押すことで、Ａさんが視聴している番組をテレビ受信機２００−Ｅに強制的に再生させると同時にＡさんの上記メッセージをＥさんに送ることができるようになっている。すなわち、Ａさんが「視聴させる」ボタンを押すと、メッセージ処理部１４０は、テレビ受信機２００−Ａから、Ａさんのメッセージの送信要求とチャンネル切替要求とを受け取る。
【００７９】
これらの要求を受け取ったメッセージ処理部１４０は、記憶部１５０に保存されている定型メッセージ（「私が見ている番組がひどいので、ちょっと見てみてください。」というメッセージ）をチャンネル切替要求とともにテレビ受信機２００−Ｅに送信する。その結果、テレビ受信機２００−Ｅには、図１３の（ｂ）の左側に示したようにＡさんのメッセージが表示される。その後、テレビ受信機２００−Ｅは、図１３の（ｂ）の右側に示したように、再生する番組を、Ｅさんが視聴している放送局２の番組から、Ａさんが視聴している放送局１の番組に切り替える。
【００８０】
〔実施形態５〕
本発明のさらに別の一実施形態について説明すれば、以下のとおりである。なお、説明の便宜上、実施形態１にて説明した部材と同じ機能を有する部材については、同じ符号を付記し、その説明を省略する。
【００８１】
本実施形態では、メッセージの送信者と送信相手とが同じ番組を視聴している場合のシステムの動作の一部が実施形態１〜４に係るシステムと異なっている。より具体的には、送信者および送信相手の評価情報が共に「高評価」である場合のシステムの動作が、実施形態１〜４に係るシステムと異なっている。
【００８２】
すなわち、例えば、図１４の（ａ）の左側に示したように、視聴中の番組を高く評価しているＡさんが、視聴中の同じ番組を高く評価しているＢさんを指定した場合、ＳＮＳ画面生成部１１０は、メッセージを送信相手に送るためのメッセージ送信決定画面のデータを生成し、生成したデータをテレビ受信機２００−Ａに送信する。
【００８３】
テレビ受信機２００−Ａには、Ｂさんに送信するメッセージとして１つ以上のメッセージ（図１４の例では、「番組で紹介していたお店に今度一緒に行きましょう。」というメッセージ）を選択可能なメッセージ送信決定画面が表示される。送信者は、上記１つ以上のメッセージの中から送信相手に送信するメッセージを選択するかメッセージを入力した上で、さらに、「送信」ボタンを押すことにより、Ｂさんにメッセージを送信できる。
【００８４】
すなわち、メッセージの送信要求を受け取ったメッセージ処理部１４０は、Ｂさんの登録メールアドレス（図１４の例では、“b-san@keitai.ne.jp”）を記憶部１５０から読み出し、Ａさんのメッセージを含むメールをＢさんの登録メールアドレス宛に送信する。その結果、Ｂさんのスマートフォン２１０には、図１４の（ｂ）に示したように、Ａさんのメッセージが表示される。
【００８５】
〔実施形態６〕
実施形態１〜５では、テレビ受信機２００が、ＳＮＳの会員登録前にはＳＮＳの会員登録画面を表示できるようになっており、ＳＮＳの会員登録後にはスクリーンの右半分にＳＮＳのホーム画面を表示できるように構成されていた。
【００８６】
本実施形態では、テレビ受信機２００は、ＳＮＳの会員登録前にＳＮＳの会員登録画面を表示できるように構成されているが、会員登録後にＳＮＳを通じて他のメンバとのコミュニケーションを行うことが可能な仕様になっていない。
【００８７】
すなわち、ユーザは、テレビ受信機２００とは別個の端末にＳＮＳのログイン画面を表示させ、会員登録完了時にテレビ受信機２００に表示されたユーザＩＤおよびパスワードをログイン画面内に入力することにより、ＳＮＳを利用できるようになっている。
【００８８】
そして、テレビ受信機２００は、ＳＮＳの会員登録後における通信処理としては、ＣＨセンスサーバ３００との通信（視聴チャンネル情報等を送信するための通信）のみを行うようになっている。
【００８９】
〔実施形態７〕
ＳＮＳサーバ１００の制御ブロック（特にＳＮＳ画面生成部１１０、評価情報処理部１３０およびメッセージ処理部１４０）は、集積回路（ＩＣチップ）等に形成された論理回路（ハードウェア）によって実現してもよいし、ＣＰＵ（Central Processing Unit）を用いてソフトウェアによって実現してもよい。
【００９０】
後者の場合、ＳＮＳサーバ１００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００９１】
〔付記事項〕
実施形態１〜５のＳＮＳサーバ１００は、各メンバのテレビ受信機２００に対し、ログイン時に、該メンバと同一のグループの属する他の各メンバのステータス情報を含むようなホーム画面を表示させるように構成されていたが、本発明はこれに限定されない。
【００９２】
すなわち、ＳＮＳサーバ１００は、各メンバのテレビ受信機２００に対し、ログイン時に、該メンバの友達として登録されている各メンバのステータス情報を含むようなホーム画面を表示させてもよい。
【００９３】
この場合、ＳＮＳサーバ１００は、各メンバの友達リストから、そのメンバと同じ番組を視聴しており、且つ、そのメンバとは異なる評価をしている他のメンバを自動的に除外するように構成されていてもよい。互いの友達リストから除外されるメンバ同士は、趣味嗜好が異なっている（すなわち、話が合わない）可能性が高いためである。
【００９４】
〔まとめ〕
本発明の態様１に係るサーバ（ＳＮＳサーバ１００、ＩＭサーバ）は、サービス（ソーシャルネットワーキングサービス、ＩＭサービス等）を提供するサーバであって、上記サービスを利用する各メンバの端末（テレビ受信機２００）から、該メンバが視聴中の番組に対する該メンバの評価に関する評価情報（番組評価情報）を取得する取得手段（評価情報処理部１３０）と、任意のメンバの端末から、該任意のメンバから他のメンバへのメッセージであって該他のメンバの端末を送信先とするメッセージの送信要求を受け付ける受付手段（メッセージ処理部１４０）と、上記受付手段が上記送信要求を受け付けた場合に、上記他のメンバの端末に上記メッセージを送信することにより、該他のメンバの端末に上記メッセージを表示させる第１表示制御手段（メッセージ処理部１４０）と、を備え、上記メッセージは、上記サーバが予め保持しているメッセージであって、該任意のメンバが視聴中の番組に関する評価情報と該他のメンバが視聴中の番組に関する評価情報との組み合わせに応じたメッセージである。
【００９５】
上記の構成によれば、上記サーバは、送信者が、該送信者が視聴中の番組に関する評価情報と送信相手が視聴中の番組に関する評価情報との組み合わせに応じたメッセージを、送信者に自分で考えさせることなく送信相手に送ることを可能にする。
【００９６】
すなわち、メンバは、番組の内容を話題とするコミュニケーションを他のメンバと始めるきっかけとなる適切なメッセージを自分で考えることなく、そのようなメッセージを上記他のメンバに送ることができる。
【００９７】
したがって、上記サーバは、番組の内容を話題とするメンバ間のコミュニケーションを従来よりも円滑化させることができるという効果を奏する。
【００９８】
本発明の態様２に係るサーバは、上記態様１において、上記任意のメンバの端末に、該任意のメンバが上記メッセージとして選択可能な１つ以上のメッセージ（定型メッセージ等）を表示させる第２表示制御手段（ＳＮＳ画面生成部１１０）を更に備え、第１表示制御手段は、上記１つ以上のメッセージの中から該任意のメンバが選択したメッセージを上記他のメンバの端末に表示させる、ことが望ましい。
【００９９】
上記の構成によれば、上記サーバは、メッセージの送信者が送信相手の端末に表示されることになるメッセージを確認した上で当該メッセージを送信相手に送ることを可能にする。
【０１００】
したがって、上記サーバは、番組の内容を話題とするメンバ間のコミュニケーションをより一層円滑化させることができるという更なる効果を奏する。
【０１０１】
本発明の態様３に係るサーバは、上記態様１または２において、上記組み合わせが特定の組み合わせである場合において、第１表示制御手段（ＳＮＳ画面生成部１１０およびメッセージ処理部１４０）は、上記受付手段が上記送信要求を受け付けると、上記任意のメンバの端末と上記他のメンバの端末との両方にチャット画面を表示させるように構成されており、第１表示制御手段が上記他のメンバの端末に表示させる上記チャット画面内には上記メッセージが含まれている、ことが望ましい。
【０１０２】
本発明の態様４に係るサーバは、上記態様１から３において、上記他のメンバが視聴中の番組に関する評価情報が、該他のメンバが該番組に対する評価を行っていない旨を示す場合において、第１表示制御手段が該他のメンバのテレビ受信機に上記組み合わせに応じたメッセージを表示させるのと同時期に、該他のメンバから該番組に対する評価を受け付けるための画面を該他のメンバのテレビ受信機に表示させる第３表示制御手段（ＳＮＳ画面生成部１１０）を更に備えている、ことが望ましい。
【０１０３】
上記の構成によれば、上記サーバは、メンバが、視聴中の番組に対する評価を行っていない他のメンバに対して評価を行うように促すことを可能にする。したがって、上記サーバは、番組の内容を話題とするメンバ間のコミュニケーションをより一層円滑化させることができるという更なる効果を奏する。
【０１０４】
本発明の態様５に係るサーバは、上記態様１から４において、上記各メンバの上記端末がテレビ受信機である、ことが望ましい。
【０１０５】
本発明の態様６に係るサーバは、上記態様５において、上記組み合わせが特定の組み合わせである場合において、第１表示制御手段が上記他のメンバの上記テレビ受信機に該組み合わせに応じたメッセージを表示させるのと同時期に、上記任意のメンバのテレビ受信機において再生されている番組が該他のメンバのテレビ受信機において録画されるように該テレビ受信機の番組録画動作を制御する録画制御手段（メッセージ処理部１４０）を更に備えている、ことが望ましい。
【０１０６】
上記の構成によれば、上記サーバは、上記任意のメンバと上記他のメンバとが、上記任意のメンバが視聴していた番組の放送終了後にその番組の内容を話題とする密度の濃いコミュニケーションを行うことを可能にする、というさらなる効果を奏する。
【０１０７】
本発明の態様７に係るサーバは、上記態様５または６において、上記組み合わせが特定の組み合わせである場合において、第１表示制御手段が上記他のメンバの上記テレビ受信機に該組み合わせに応じたメッセージを表示させるのと同時期に、上記任意のメンバのテレビ受信機において再生されている番組が該他のメンバのテレビ受信機においても再生されるように該テレビ受信機における番組再生動作を制御する再生制御手段（メッセージ処理部１４０）を更に備えている、ことが望ましい。
【０１０８】
上記の構成によれば、上記サーバは、上記他のメンバのテレビ受信機に上記任意のメンバが視聴中の番組を再生させることができる。したがって、上記サーバは、上記任意のメンバと上記他のメンバとが、上記番組の放送中にその番組の内容を話題とする密度の濃いコミュニケーションを行うことを可能にする、というさらなる効果を奏する。
【０１０９】
本発明の態様８に係るメッセージ通知方法は、サービスを提供するサーバのメッセージ通知方法であって、上記サービスを利用する各メンバの端末から、該メンバが視聴中の番組に対する該メンバの評価に関する評価情報を取得する取得工程と、任意のメンバの端末から、該任意のメンバから他のメンバへのメッセージであって該他のメンバの端末を送信先とするメッセージの送信要求を受け付ける受付工程と、上記受付工程にて上記送信要求を受け付けた場合に、上記他のメンバの端末に上記メッセージを送信することにより、該他のメンバの端末に上記メッセージを表示させる第１表示制御工程と、を含み、上記メッセージは、上記サーバが予め保持しているメッセージであって、該任意のメンバが視聴中の番組に関する評価情報と該他のメンバが視聴中の番組に関する評価情報との組み合わせに応じたメッセージである。
【０１１０】
上記の構成によれば、上記メッセージ通知方法は、本発明の態様１に係るサーバと同様の作用効果を奏する。
【０１１１】
なお、コンピュータを態様１から７のいずれかの態様の上記サーバが備える各手段として動作させることにより上記サーバをコンピュータにて実現させるプログラム、およびそれを記録したコンピュータ読み取り可能な記録媒体も、本発明の範疇に入る。
【０１１２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１１３】
本発明は、ＳＮＳサーバに好適に利用することができる。
【符号の説明】
【０１１４】
１００    ＳＮＳサーバ（サーバ）
１１０      ＳＮＳ画面生成部（第１表示制御手段〜第３表示制御手段）
１２０      視聴情報処理部
１３０      評価情報処理部（取得手段）
１４０      メッセージ処理部（受付手段、第１表示制御手段）
１５０      記憶部
２００    テレビ受信機（端末）
【図１】
2014239347.tif 000003
【図２】
2014239347.tif 000004
【図３】
2014239347.tif 000005
【図４】
2014239347.tif 000006
【図５】
2014239347.tif 000007
【図６】
2014239347.tif 000008
【図７】
2014239347.tif 000009
【図８】
2014239347.tif 000010
【図９】
2014239347.tif 000011
【図１０】
2014239347.tif 000012
【図１１】
2014239347.tif 000013
【図１２】
2014239347.tif 000014
【図１３】
2014239347.tif 000015
【図１４】
2014239347.tif 000016